(57)【要約】  【課題】  異常が発生したことを確実に監視者に知らせることが可能なネットワーク監視システムを提供する。  【解決手段】  ネットワークカメラ１０で映像変化を検知したとき映像変化を示す情報を監視の映像に付加した映像データに処理してからネットワーク３２に送り、監視側の記録装置４０では受け取った映像データから映像変化を示す情報を検知しアラーム情報にして映像データに付加してから録画をすることを特徴とする。【選択図】  図１
2005268996.tif 000002
【特許請求の範囲】
【請求項１】
ネットワークカメラで監視の映像を、ネットワークを介して監視側の記録装置に送り、該記録装置で録画再生することにより、前記ネットワークカメラで監視の映像に異常を示す映像変化があるかを監視するネットワーク監視システムであって、前記ネットワークカメラで前記映像変化を検知したとき前記映像変化を示す情報を前記監視の映像に付加した映像データに処理してから前記ネットワークに送り、前記監視側の記録装置では受け取った前記映像データから前記映像変化を示す情報を検知しアラーム情報にして前記映像データに付加してから録画をすることを特徴とするネットワーク監視システム。
【請求項２】
ネットワークカメラで監視の映像を、ネットワークを介して監視側の記録装置に送り、該記録装置で録画再生することにより、前記ネットワークカメラで監視の映像に異常を示す映像変化があるかを監視するネットワーク監視システムであって、前記ネットワークカメラで前記映像変化を検知したとき前記映像変化を示す情報を前記監視した映像に付加し且つ高画質の圧縮処理を行った映像データにしてから前記ネットワークに送り、前期監視側の記録装置では、受け取った映像データから前記映像変化を示す情報を検知し画質モードを制御して前記受け取った映像データの録画をすることを特徴とするネットワーク監視システム。
【請求項３】
請求項２記載のネットワーク監視システムであって、前記ネットワークカメラは複数台のネットワークカメラからなり、該複数台のネットワークカメラからの前記映像変化の検知台数によって画質可変の圧縮処理を行うことを特徴とするネットワーク監視システム。
【発明の詳細な説明】
【技術分野】
【０００１】
本発明は、ネットワークカメラで監視の映像を、ネットワークを介して監視側の記録装置に送り、記録装置で録画再生することにより、ネットワークカメラで監視の映像に異常を示す映像変化があるかを監視するネットワーク監視システムに関する。
【背景技術】
【０００２】
従来、非重要被写体撮影時、フレームレートを確保し、送信データ量を少なくするため輪郭成分だけを送信し、物体の有無、物体の動きなどの被写体情報を提供し、重要被写体が検知されたとき、重要被写体をフレームを落とした高解像度の画像データにしてネットワークに送信し、監視側ではネットワークから受信した画像データをホストコンピュータで復号してモニタに表示する技術が公開されている（例えば特許文献１参照）。
【０００３】
【特許文献１】特開２００３−２９８９０３号公報
【発明の開示】
【発明が解決しようとする課題】
【０００４】
しかしながら、モニタに表示の画像が単に変化するだけでは、監視者は異常が発生したことを見落とす可能性がある。
【０００５】
本発明の目的は、異常が発生したことを確実に監視者に知らせることが可能なネットワーク監視システムを提供することにある。
【０００６】
本発明の他の目的は、異常が発生したことを監視側の記録装置に伝送して記録装置での録画時の画質制御をするネットワーク監視システムを提供することにある。
【０００７】
本発明のさらに他の目的は、複数のネットワークカメラで監視する場合の異常検知の数に応じて圧縮の画質制御をするネットワーク監視システムを提供することにある。
【課題を解決するための手段】
【０００８】
本発明による請求項１記載のネットワーク監視システムは、ネットワークカメラで監視の映像を、ネットワークを介して監視側の記録装置に送り、該記録装置で録画再生することにより、前記ネットワークカメラで監視の映像に異常を示す映像変化があるかを監視するネットワーク監視システムであって、前記ネットワークカメラで前記映像変化を検知したとき前記映像変化を示す情報を前記監視の映像に付加した映像データに処理してから前記ネットワークに送り、前記監視側の記録装置では受け取った前記映像データから前記映像変化を示す情報を検知しアラーム情報にして前記映像データに付加してから録画をすることを特徴とする。
【０００９】
本発明による請求項２記載のネットワーク監視システムは、ネットワークカメラで監視の映像を、ネットワークを介して監視側の記録装置に送り、該記録装置で録画再生することにより、前記ネットワークカメラで監視の映像に異常を示す映像変化があるかを監視するネットワーク監視システムであって、前記ネットワークカメラで前記映像変化を検知したとき前記映像変化を示す情報を前記監視した映像に付加し且つ高画質の圧縮処理を行った映像データにしてから前記ネットワークに送り、前期監視側の記録装置では、受け取った映像データから前記映像変化を示す情報を検知し画質モードを制御して前記受け取った映像データの録画をすることを特徴とする。
【００１０】
本発明による請求項２記載のネットワーク監視システムは、請求項２記載のネットワーク監視システムであって、前記ネットワークカメラは複数台のネットワークカメラからなり、該複数台のネットワークカメラからの前記映像変化の検知台数によって画質可変の圧縮処理を行うことを特徴とするネットワーク監視システムである。
【発明の効果】
【００１１】
本発明によれば、異常が発生したことを確実に監視者に知らせることが可能なネットワーク監視システムを得ることができる。また本発明によれば、異常が発生したことを監視側の記録装置に伝送して記録装置での録画時の画質制御をするネットワーク監視システムを得ることができる。また本発明によれば、複数のネットワークカメラで監視する場合の異常検知の数に応じて圧縮の画質制御をするネットワーク監視システムを得ることができる。
【発明を実施するための最良の形態】
【００１２】
図１は、本発明によるネットワーク監視システムの第１の実施の形態の構成を示す図である。
【００１３】
図１において、１０はネットワークカメラ、１１は撮像部、１２は映像処理部、１３は映像圧縮処理部、１４は伝送データ送受信部、１５は映像変化検知部、１６はＣＰＵ、１７はセンサ信号入力、１８はメモリ部、１９は文字発生部、２０は合成部、２１は映像出力部、２２は同軸ケーブル、２３はカメラ側モニタ、３１はカメラ側通信回線、３２はネットワーク、３３は記録側通信回線、４０は記録装置である。
【００１４】
ネットワークカメラ１０はＣＰＵ１６の動作により、撮像部２で得られた映像を、ネットワーク３２を介して映像データをネットワーク３２に配信したり、カメラ側カメラ側モニタ２３で見ることができる。
【００１５】
図２は、図１のネットワークカメラ１０のＣＰＵ１６の動作フローチャートを示す図である。ＣＰＵ１６は、映像処理部１２を制御して、撮像部１１で得られた映像を映像圧縮処理部１３と映像変化検知部１５へ送る（Ｓ２０１）。映像変化検知部１５は予め例えば図３に示すような、映像変化の有無を示すテーブルを有しており、このテーブルに基づき、映像変化の検知有無を行う。
【００１６】
ＣＰＵ１６は、映像変化検知部１５による映像変化の検知有無を判断する（Ｓ２０２）。検知有りの場合に、映像変化を示す情報を映像圧縮処理部１３に送って、映像圧縮処理部１３に送られたところの撮像部１１で得られた映像に付加する（Ｓ２０３）。それから映像圧縮処理部１３で、撮像部２で得られた映像と検知有りの場合の映像変化を示す情報を、デジタル変換して予め設定した解像度及び圧縮率に処理する（Ｓ２０４）。
【００１７】
それから解像度及び圧縮率処理した映像データを、伝送データ送受信部１４より、カメラ側通信回線３１を通してネットワーク３２に配信する（Ｓ２０５）。なお、メモリ部１８は本カメラ機能の設定値等を記憶しておくものである。
【００１８】
ネッワーク３２に配信する映像データとは別に、映像処理部１２からの映像に、カメラタイトルが必要な場合の文字発生部１９からの任意の文字を、合成部２０で合成して、映像出力部２１より同軸ケーブル２２でカメラ側モニタ２３に供給する。したがってカメラ側モニタ２３で見ることができる。
【００１９】
ネッワーク３２から送られた映像データは、監視室側通信回線３３を通して記録装置４０に送られる。
【００２０】
記録装置４０において、４１は伝送データ送受信部、４２は映像処理部、４３はデータ処理部、４４はＣＰＵ、４５は録画／再生処理部、４６は操作部、４７はメモリ部、４８は映像出力部、４９は信号ケーブル、５０は記録側モニタである。
【００２１】
記録装置４０はＣＰＵ４４の動作により、ネッワーク３２から送られた映像データを記録側モニタ５０で見ることができる。
【００２２】
図４は、図１の記録装置４０のＣＰＵ４４の動作フローチャートを示す図である。ＣＰＵ４４は、伝送データ送受信部４１で受け取った映像データを、映像処理部４２とデータ処理部４３に送る（Ｓ４０１）。ＣＰＵ４４は、データ処理部４３で検知したところの映像変化が有りの場合の映像変化を示す情報を検知しアラーム情報にして映像処理部４２に送り、受け取った映像データにアラーム情報を付加する（Ｓ４０２）。
【００２３】
そして録画／再生処理部４０で、記録媒体に予め決めた録画モード及び録画間隔での録画をする（Ｓ４０４）。なお操作部４６によって設定された記録装置４０の各設定情報はメモリ部４７に記憶されている。
【００２４】
操作部４６によって再生が指示された際には、ＣＰＵ４４は録画／再生処理部４５を再生にして、記録媒体に録画した映像データとアラーム情報から操作部４６で選択指定の映像データとアラーム情報を出力し、映像出力部４８より信号ケーブル４９で記録側モニタ５０に供給する。したがって記録側モニタ５０でネットワークカメラで監視の映像をアラーム情報の有無を含めて見ることができる。
【００２５】
本実施の形態によれば、ネットワークカメラによる映像変化の検知により、配信する映像に映像変化を示す情報を監視の映像に付加して受信側に送ることで、受信側の記録装置はその映像変化を示す情報を検知しアラーム情報にして映像データに付加してから録画再生できる。
【００２６】
このことにより、記録側モニタに、監視の映像と映像変化があった場合のアラーム情報を表示することができ、監視者はアラーム情報を見ることで、監視の映像に映像変化があったことを見落とす可能性がなくなる。
【００２７】
図５は、本発明によるネットワーク監視システムの第２の実施の形態の構成を示す図である。
【００２８】
図５において、１０はネットワークカメラ、１１は撮像部、１２は映像処理部、１３は映像圧縮処理部、１４は伝送データ送受信部、１５は映像変化検知部、１６はＣＰＵ、１７はセンサ信号入力、２４は映像圧縮処理モード制御部、１８はメモリ部、１９は文字発生部、２０は合成部、２１は映像出力部、２２は同軸ケーブル、２３はカメラ側モニタ、３１はカメラ側通信回線、３２はネットワーク、３３は記録側通信回線、４０は記録装置である、
ネットワークカメラ１０はＣＰＵ１６の動作により、撮像部２で得られた映像を、ネットワーク３２を介して映像データをネットワーク３２に配信したり、カメラ側モニタ２３で見ることができる。
【００２９】
図６は、図５のネットワークカメラ１０のＣＰＵ１６の動作フローチャートを示す図である。ＣＰＵ１６は、映像処理部１２を制御して、撮像部１１で得られた映像を映像圧縮処理部１３と映像変化検知部１５へ送る（S６０１）。映像変化検知部１５は予め図３に示すような、映像変化の有無を示すテーブルを有しており、このテーブルに基づき、映像変化の検知有無を行う。
【００３０】
ＣＰＵ１６は、映像変化検知部１５による映像変化の検知有無を判断する（Ｓ６０２）。映像変化の検知有りの場合に、映像変化を示す情報を映像圧縮処理部１３に送って、映像圧縮処理部１３に送られたところの撮像部１１で得られた映像に付加する（Ｓ６０３）。また映像変化の検知有りの場合に、映像圧縮処理モード制御部２４に指令を送り、映像圧縮処理部１３による解像度と圧縮率を、映像変化がない場合のときより解像度が高く圧縮率が少ない高画質モードに切換えて、映像圧縮処理部１３での高画質処理を行う（Ｓ６０４）。
【００３１】
それから高画質処理を行ったデータを、伝送データ送受信部１４より、カメラ側通信回線３１を通してネットワーク３２に配信する（Ｓ６０５）。なお、メモリ部１８は本カメラ機能の設定値等を記憶しておくものである。
【００３２】
ネッワーク３２に配信する映像データとは別に、映像処理部１２からの映像に、カメラタイトルが必要な場合の文字発生部１９からの任意の文字を、合成部２０で合成して、映像出力部２１より同軸ケーブル２２でカメラ側モニタ２３に供給する。したがってカメラ側モニタ２３で見ることができる。
【００３３】
ネッワーク３２から送られた映像データは、監視室側通信回線３３を通して記録装置４０に送られる。
【００３４】
記録装置４０において、４１は伝送データ送受信部、４２は映像処理部、４３はデータ処理部、４４はＣＰＵ、４５は録画／再生処理部、５１は録画モード制御部、４６は操作部、４７はメモリ部、４８は映像出力部、４９は信号ケーブル、５０は記録側モニタである。
【００３５】
記録装置４０はＣＰＵ４４の動作により、ネッワーク３２から送られた映像データを記録側モニタ５０で見ることができる。
【００３６】
図７は、図５の記録装置４０のＣＰＵ４４の動作フローチャートを示す図である。ＣＰＵ４４は、伝送データ送受信部４１で受け取った映像データを、映像処理部４２とデータ処理部４３に送る（Ｓ７０１）。ＣＰＵ４４は、データ処理部４３によって解析されたところの映像に付加されている情報を受け取る（Ｓ７０２）。
【００３７】
次にＣＰＵ４４は、受け取った情報に基づいて録画モード制御部５１に指令を送り、画質モードや記録間隔及び記録枚数を制御することにより、録画／再生処理部４５での録画をする（Ｓ７０３）。画像検知の情報が受信された時の録画方法設定は操作部４６で行われ、その設定情報は本記録装置４０の各種設定情報と共にメモリ部４７に記憶される。
【００３８】
操作部４６によって再生が指示された際には、ＣＰＵ４４は録画／再生処理部４５を再生にして、記録媒体に録画した映像データから操作部４６で選択指定の映像データを出力し、映像出力部４８より信号ケーブル４９で記録側モニタ５０に供給する。したがって記録側モニタ５０でネットワークカメラで監視の映像を見ることができる。
【００３９】
本実施の形態によれば、ネットワークカメラによる映像変化の検知により、配信する映像の解像度と圧縮率を可変し高画質の映像を送ると同時にその情報も付加して受信側に送ることで、受信側の記録装置も高画質モードに切換えて録画することができる。
【００４０】
このことにより、例えば通常は長時間の録画が可能な低画質モードや録画間隔をより長いモードで記録しておき、監視場所に人が来たときには高画質モードに切換えて受信側に送り、ネットワークカメラが人物等を検知して記録装置側にその可変情報が送られた時には高画質、高密度モードに可変して任意の枚数を記録し、それ以外の時は自動的に低画質モードや記録間隔を長くすることで記録時間を延ばし、効率的な記録監視が行える。
【００４１】
図８は、本発明によるネットワーク監視システムの第３の実施の形態の構成を示す図である。
【００４２】
図８において、１０Ａ，１０Ｂ，…，１０Ｘはネットワークカメラ、３１Ａ，３１Ｂ，…，３１Ｘはカメラ側通信回線、３４はハブ、３１Ｙはカメラ側通信回線、３２はネットワーク、３３は記録側通信回線、４０は記録装置、５０はモニタである。各ネットワークカメラ１０Ａ，１０Ｂ，…，１０Ｘの内部回路は図５に図示のネットワークカメラ１０の内部回路と同じであり、記録装置４０の内部回路は図５に図示の記録装置４０の内部回路と同じである。
【００４３】
複数のネットワークカメラ１０Ａ，１０Ｂ，…，１０Ｘからの画像データを、カメラ側通信回線３１Ａ，３１Ｂ，…，３１Ｘを通してハブ３４で集約し、カメラ側通信回線３１Ｙを介してネットワーク１７で伝送し、ネットワーク１７から監視室側通信回線３３を経由し監視室側の記録装置４０に入力して録画再生し、記録側モニタ５０でアラーム情報の有無を含めて見て監視する。
【００４４】
複数のネットワークカメラ１０Ａ，１０Ｂ，…，１０Ｘによる映像変化の検知が全く無い場合は全てのカメラ映像を予め設定した長時間の記録が可能な画質モードと記録間隔で定期的に記録しておき、映像変化の検知がもたらされた場合にそのカメラのみを予め設定した画質モード、記録間隔、記録枚数で記録する。
【００４５】
また、映像変化の検知したカメラの台数に応じた解像度と圧縮率を例えば図９に示すように設定しておくことにより、映像変化の検知したカメラの台数によっても画質モード、記録間隔、記録枚数を可変対応できる。
【００４６】
本実施の形態によれば、必要な画像を高画質で記録しつつ、同一記録媒体への記録時間を延ばすことができる。
【図面の簡単な説明】
【００４７】
【図１】本発明によるネットワーク監視システムの第１の実施の形態の構成を示す図である。
【図２】図１のネットワークカメラのＣＰＵの動作フローチャートを示す図である。
【図３】図１の映像変化検知部が有する映像変化の有無を示すテーブルの例を示す図である。
【図４】図１の記録装置のＣＰＵの動作フローチャートを示す図である。
【図５】本発明によるネットワーク監視システムの第２の実施の形態の構成を示す図である。
【図６】図５のネットワークカメラのＣＰＵの動作フローチャートを示す図である。
【図７】図５の記録装置のＣＰＵの動作フローチャートを示す図である。
【図８】本発明によるネットワーク監視システムの第３の実施の形態の構成を示す図である。
【図９】映像変化の検知したカメラの台数に応じた解像度と圧縮率の例を示す図である。
【符号の説明】
【００４８】
１０，１０Ａ，１０Ｂ，１０Ｘ…ネットワークカメラ、１１…撮像部、１２…映像処理部、１３…映像圧縮処理部、１４…伝送データ送受信部、１５…映像変化検知部、１６…ＣＰＵ、１７…センサ信号入力、１８…メモリ部、１９…文字発生部、２０…合成部、２１…映像出力部、２２…同軸ケーブル、２３…モニタ、２４…映像圧縮処理モード制御部、３１，３１Ａ，３１Ｂ，３１Ｘ，３１Ｙ…カメラ側通信回線、３２…ネットワーク、３３…記録側通信回線、３４…ハブ、４０…記録装置、４１…伝送データ送受信部、４２…映像処理部、４３…データ処理部、４４…ＣＰＵ、４５…録画／再生処理部、４６…操作部、４７…メモリ部、４８…映像出力部、４９…信号ケーブル、５０…モニタ、５１…録画モード制御部。
【図１】
2005268996.tif 000003
【図２】
2005268996.tif 000004
【図３】
2005268996.tif 000005
【図４】
2005268996.tif 000006
【図５】
2005268996.tif 000007
【図６】
2005268996.tif 000008
【図７】
2005268996.tif 000009
【図８】
2005268996.tif 000010
【図９】
2005268996.tif 000011